(57)【要約】  本発明は、少なくとも１つの入力側と少なくとも１つの出力側を備えており、入力側に印加される入力量Ｒと出力側から取り出される出力量ｔとのあいだに所定の関数関係ｔ＝Ｆ（Ｒ）が成り立ち、該関数関係が特性マップに格納されている、伝送回路に関する。本発明によれば、特性マップは下方限界値Ｎ（ｂｉ）および上方限界値Ｎ（ｂｉ＋１）を有する少なくとも１つの領域ｂｉから成り、ここで下方限界値は関数値ｔ（ｉ）＝Ｆ（Ｎ（ｂｉ））に対応し、上方限界値は関数値ｔ（ｉ＋１）＝Ｆ（Ｎ（ｂｉ＋１））に対応し、出力量（ｔ）は下方限界値と上方限界値とのあいだで補間される。
2009510860.tif 000002
【特許請求の範囲】
【請求項１】
少なくとも１つの入力側（Ｅ）と少なくとも１つの出力側（Ａ）とを備えており、入力側に印加される入力量（Ｒ）と出力側から取り出される出力量（ｔ）とのあいだの所定の関数関係（ｔ＝Ｆ（Ｒ））が定められており、該関数関係が特性マップ（７）に格納されている、
伝送回路において、
特性マップ（７）は下方限界値（Ｎ（ｂｉ））および上方限界値（Ｎ（ｂｉ＋１））を有する少なくとも１つの領域（ｂｉ）から成り、ここで下方限界値は関数値（ｔ（ｉ）＝Ｆ（Ｎ（ｂｉ）））に対応し、上方限界値は関数値（ｔ（ｉ＋１）＝Ｆ（Ｎ（ｂｉ＋１）））に対応し、出力量（ｔ）は下方限界値と上方限界値とのあいだで補間される
ことを特徴とする伝送回路。
【請求項２】
出力側から取り出される出力量（ｔ）はパルス幅変調信号である、請求項１記載の伝送回路。
【請求項３】
特性マップは複数の領域（ｂｉ）から成る、請求項１または２記載の伝送回路。
【請求項４】
複数の領域（ｂｉ）はそれぞれ連続している、請求項３記載の伝送回路。
【請求項５】
下方限界値のみまたは上方限界値のみが格納されている、請求項４記載の伝送回路。
【請求項６】
当該の伝送回路は複数の特性マップを含み、複数の特性マップは少なくとも１つのパラメータによって選択される、請求項１から５までのいずれか１項記載の伝送回路。
【請求項７】
補間は線形に行われる、請求項１から６までのいずれか１項記載の伝送回路。
【請求項８】
当該の伝送回路は量子化器（３）および積分器（４）を備えたデルタシグマ変換器（１）を含み、量子化器（３）において形成された量子化信号は直接に続く調整量（ｔ）の近似に用いられる、請求項１から７までのいずれか１項記載の伝送回路。
【請求項９】
少なくとも１つの入力側（Ｅ）と少なくとも１つの出力側（Ａ）とを備えており、入力側に印加される入力量（Ｒ）と出力側から取り出される出力量（ｔ）とのあいだの所定の関数関係（ｔ＝Ｆ（Ｒ））が定められており、該関数関係が特性マップ（７）に格納されている、
伝送回路の駆動方法において、
特性マップ（７）は下方限界値（Ｎ（ｂｉ））および上方限界値（Ｎ（ｂｉ＋１））を有する少なくとも１つの領域（ｂｉ）から成り、ここで下方限界値は関数値（ｔ（ｉ）＝Ｆ（Ｎ（ｂｉ）））に対応し、上方限界値は関数値（ｔ（ｉ＋１）＝Ｆ（Ｎ（ｂｉ＋１）））に対応し、出力量（ｔ）は下方限界値と上方限界値とのあいだで補間される
ことを特徴とする伝送回路の駆動方法。
【発明の詳細な説明】
【技術分野】
【０００１】
従来技術
本発明は、少なくとも１つの入力側と少なくとも１つの出力側とを備えており、入力側に印加される入力量と出力側から取り出される出力量とのあいだに所定の関数関係が成り立ち、この関数関係が特性マップに格納されている、伝送回路に関する。
【０００２】
パルス幅変調信号すなわちＰＷＭ信号を特性マップＦによって制御する際には、調整量ｔは制御量Ｒに基づいて、関数関係ｔ＝Ｆ（Ｒ）によって調整される。ハードウェア構成では調整量ｔを計算するソフトウェアアルゴリズムは使用されないので、ふつうは固定数の支点Ｎに対して複数の値Ｆ（ＲＮ）を維持し、全ての中間値に対してＦ（Ｒ）を隣接する支点の値へ置くかまたは中間値を近似により形成する。
【０００３】
制御量Ｒが要求されたオンオフ比を求めるための全ての関連影響、例えば温度特性、調整量を利用する種々の回路構成その他をシミュレートしない場合、特性マップをパラメータ化しなければならない。これは、全ての値Ｆ（ＲＮ）をプログラミング可能なパラメータとしてメモリＲＡＭ内に実現することによって行われるか、または、ｘ個の特性マップＦｘ（ＲＮ）を定数として不揮発性メモリＲＯＭ内に維持し、必要な特性マップをプログラミング可能なパラメータによって選択することによって行われる。
【０００４】
従来技術の問題点
特性マップを実現する既知の回路には高いハードウェアコストが必要となる。したがって、本発明の課題は、パラメータ化可能な特性マップのハードウェア構成を最適化し、特性マップの高いシミュレーション精度を達成して、プログラミング可能なパラメータおよび定数の数ひいてはハードウェアコストまたはその他のコストを低減することである。
【０００５】
本発明の利点
この課題は、少なくとも１つの入力側と少なくとも１つの出力側とを備えており、入力側に印加される入力量Ｒと出力側から取り出される出力量ｔとのあいだの関数関係ｔ＝Ｆ（Ｒ）が定められており、該関数関係が特性マップに格納されている、伝送回路に関する。本発明によれば、特性マップは下方限界値Ｎ（ｂｉ）および上方限界値Ｎ（ｂｉ＋１）を有する少なくとも１つの領域ｂｉから成り、ここで下方限界値は関数値ｔ（ｉ）＝Ｆ（Ｎ（ｂｉ））に対応し、上方限界値は関数値ｔ（ｉ＋１）＝Ｆ（Ｎ（ｂｉ＋１））に対応し、出力量ｔは下方限界値と上方限界値とのあいだで補間される構成により解決される。
【０００６】
有利には、出力側から取り出される出力量はパルス幅変調信号である。さらに有利には、特性マップは入力量の値領域全体をカバーする複数の領域から成る。制御量Ｒの値領域は固定またはプログラミング可能な複数の領域へ分割される。１つの領域の内部ではオンオフ比がプログラミング可能なパラメータにより線形に補間される。１つの領域内で補間されるオンオフ比はアナログ制御量を算出するために量子化された追従制御量から連続的に直接に計算される。ここでは、必要な数のプログラミング可能なパラメータが、レジスタまたはメモリセル（ＲＡＭ）などのハードウェアにおいて、選択された数の支点ではなく選択された数の領域に基づいて、定められているようにしなければならない。近似の精度は臨界的な領域では多数の領域によって高められる。このとき、個々の特性マップに対して精度の高い領域が１つの制御量の種々の領域に存在するからである。オンオフ比を連続的に補間する場合にはハードウェア乗算器の代わりに加算器のみあれば良いことになる。全体としていっそう小さく低コストなハードウェア構成が実現される。
【０００７】
本発明の有利な実施形態では、複数の領域はつねに相互に連続する。したがって出力量の値は領域ごとに跳躍的に変化することなく、先行領域の上方限界値と後続領域の下方限界値とが同一となる。この場合には、最初の領域と最後の領域とを除いて、下方限界値のみまたは上方限界値のみを格納することもできる。出力量の値とともに下方限界値のみが格納される場合、次の領域の下方限界値が上方限界値と見なされる。次の領域のない最後の領域にかぎって、上方限界値が設定される。同様のことが出力量に対して上方限界値のみ格納される場合にも当てはまる。
【０００８】
有利には、当該の伝送回路は複数の特性マップを含み、複数の特性マップは少なくとも１つのパラメータによって選択可能である。パラメータは例えば温度特性、調整量を利用する回路の種々の構成その他を含む。これらのパラメータによってＲＡＭまたはＲＯＭに格納された種々の特性マップが選択される。
【０００９】
有利には、関数値の補間は線形に行われる。ただし、例えば、領域ごとに複数の支点を格納して多項式補間を行うこともできる。
【００１０】
有利には、当該の伝送回路は量子化器および積分器を備えたデルタシグマ変換器を含み、量子化器において形成された量子化信号は直接に続く調整量の近似に用いられる。
【００１１】
また、前述した課題は、少なくとも１つの入力側と少なくとも１つの出力側とを備えており、入力側に印加される入力量と出力側から取り出される出力量とのあいだの関数関係ｔ＝Ｆ（Ｒ）が定められており、該関数関係が特性マップに格納されている、伝送回路の駆動方法において、特性マップを、下方限界値Ｎ（ｂｉ）および上方限界値Ｎ（ｂｉ＋１）を有する少なくとも１つの領域ｂｉから形成し、ここで下方限界値は関数値ｔｉ＝Ｆ（Ｎ（ｂｉ））に対応し、上方限界値は関数値ｔｉ＋１＝Ｆ（Ｎ（ｂｉ＋１））に対応し、出力量（ｔ）を下方限界値と上方限界値とのあいだで補間することにより解決される。
【００１２】
図面
以下に本発明の実施例を添付図に則して詳細に説明する。図１には本発明の特性マップの概略図が示されている。図２には本発明の制御装置の概略図が示されている。図３には本発明の方法のフローチャートが示されている。
【００１３】
制御量Ｒの値領域は、図２に示されているように、要求される分解能に基づいて系内のｎ個の支点によりシミュレートされ、Ａ／Ｄ変換により系におけるディジタル値として供給される。
【００１４】
特性マップＦｘ（Ｒ）［ｘ＝｛１．．．特性マップ数｝］は、図１によれば、複数の近似領域ｂｉ［ｉ＝｛１．．．ｍ｝］へ分割される。各領域ｂｉについて、プログラミング可能な次のパラメータが記憶される。
・領域ｂｉにおいて近似が行われ、Ｎ（ｂｉ）＜Ｒ＜Ｎ（ｂｉ＋１）のとき、近似パラメータの相当する制御量Ｒ［Ｎ∈ｎ］の限界値Ｎ（ｂｉ）
・制御量Ｒ＝Ｎ（ｂｉ）のときの始値Ｋ（ｂｉ）
・ｎ＝Ｎ（ｂｉ＋１）−１のときの終値Ｅ（ｂｉ）
・調整量を計算するための傾きＰ（ｂｉ）
ここで、パラメータＥはＦｘ（Ｒ）がつねに連続しているときは省略でき、その場合には簡単にＦｘ（ｂｉｍａｘ）＝Ｆｘ（Ｎ（ｂｉ＋１））となる。また、傾きＰ（ｂｉ）についてはＦ（Ｒ）＝Ｐ（ｂｉ）＊（ｎ−Ｎ（ｂｉ））＋Ｋ（ｂｉ）またはＦ（Ｒ）＝Ｐ（ｂｉ）＊（Ｎ（ｂｉ＋１）＋Ｅ（ｂｉ）が成り立つ。
【００１５】
図１には４つの領域ｂ１〜ｂ４を有する特性マップの実施例が示されている。領域ごとにそれぞれ１つずつ始値Ｋ（ｂｉ）および終値Ｅ（ｂｉ）が定められている。個々の領域が相互に連続している場合、例えば領域ｂ１から領域ｂ２への移行部において示されているように、先行領域の終値と後続領域の始値とは同一である。つまりここでは第１の領域ｂ１の終値Ｅ（ｂ１）と第２の領域ｂ２の始値Ｋ（ｂ２）とは同一である。移行部が連続していない場合、例えば領域ｂ２から領域ｂ３への移行部や領域ｂ３から領域ｂ４への移行部では、それぞれの領域の始値および終値を格納すべきである。始値Ｋ（ｂｉ）と終値Ｅ（ｂｉ）とのあいだの調整量Ｆは補間される。この実施例では線形補間が選択されているが、基本的には他の補間、例えば多項式補間または三角関数補間その他も可能である。傾きＰ（ｂｉ）は始値、終値および制御量の対応する値から計算されるか、或いは、付加的なデータセットとして特性マップに格納されているものが用いられる。この場合、各領域には下方限界値Ｎ（ｂｉ）、上方限界値Ｎ（ｂｉ＋１）、始値Ｋ（ｂｉ）、終値Ｅ（ｂｉ）および傾きＰ（ｂｉ）が属する。
【００１６】
図２には本発明の制御装置のブロック図が示されている。制御量Ｒは入力側Ｅへ入力され、それ自体は公知のデルタシグマ変換器１へ供給される。デルタシグマ変換器１は、減算器２，量子化器３，積分器４およびディジタルアナログ変換器５を有する。積分器４の出力側６にはディジタル信号が送出される。量子化器３の信号は加算器９へ供給され、その出力側Ａに調整量ｔが送出される。ディジタル信号Ｒを用いて特性マップ７からその時点の近似領域ｂｉが選択され、始値Ｋ（ｂｉ）、終値Ｅ（ｂｉ）および傾きＰ（ｂｉ）から調整量が計算される。近似領域ｂｉを選択する際に、加算器９に対して最初に新たな始値Ｋ（ｂｉ）および終値Ｅ（ｂｉ）がロードされる。
【００１７】
閉ループ制御の出力量すなわちＰＷＭオンオフ比などの形成は、その時点の領域ｂｉのパラメータセットによる連続近似によって、アナログディジタル変換器の量子化デルタ情報から直接に行われる。パラメータセットの選択は、制御量ｎのディジタル値と近似領域Ｎ（ｂｉ）の限界値とを比較することにより行われる。
【００１８】
図３には本発明の方法のフローチャートが示されている。本発明の方法はステップ１０１で開始され、アナログディジタル変換器の量子化デルタ情報が求められる。ステップ１０２で量子化デルタ情報から特性マップ７の近似領域ｂｉが選択され、ステップ１０３で始値Ｋ（ｂｉ）、終値Ｅ（ｂｉ）および傾きＰ（ｂｉ）が求められる。ステップ１０４で求められた始値Ｋ（ｂｉ）、終値Ｅ（ｂｉ）および傾きＰ（ｂｉ）から加算器９により調整量ｔが求められる。
【図面の簡単な説明】
【００１９】
【図１】本発明の特性マップの概略図である。
【図２】本発明の制御装置の概略図である。
【図３】本発明の方法のフローチャートである。
【図１】
2009510860.tif 000003
【図２】
2009510860.tif 000004
【図３】
2009510860.tif 000005
【手続補正書】
【提出日】平成20年3月28日(2008.3.28)
【手続補正１】
【補正対象書類名】特許請求の範囲
【補正対象項目名】全文
【補正方法】変更
【補正の内容】
【特許請求の範囲】
【請求項１】
少なくとも１つの入力側（Ｅ）と少なくとも１つの出力側（Ａ）とを備えた
伝送回路において、
入力側に印加される入力量（Ｒ）と出力側から取り出される出力量（ｔ）とのあいだの所定の関数関係（ｔ＝Ｆ（Ｒ））が定められており、該関数関係が特性マップ（７）に格納されており、
特性マップ（７）は下方限界値（Ｎ（ｂｉ））、上方限界値（Ｎ（ｂｉ＋１））、始値（Ｋ（ｂｉ））、終値（Ｅ（ｂｉ））および傾き（Ｐ（ｂｉ））を有する複数の領域（ｂｉ）から成り、ここで下方限界値は関数値（ｔ（ｉ）＝Ｆ（Ｎ（ｂｉ）））に対応し、上方限界値は関数値（ｔ（ｉ＋１）＝Ｆ（Ｎ（ｂｉ＋１）））に対応し、
当該の伝送回路は量子化器（３）および積分器（４）を備えたデルタシグマ変換器（１）を含み、積分器（４）の出力側（６）にディジタル化された入力量が送出され、該ディジタル化された入力量を用いて特性マップから１つの領域が選択され、調整量を計算するために、選択された領域の始値（Ｋ（ｂｉ））、終値（Ｅ（ｂｉ））および傾き（Ｐ（ｂｉ））が求められ、
出力量（ｔ）は下方限界値と上方限界値とのあいだで補間される
ことを特徴とする伝送回路。
【請求項２】
出力側から取り出される出力量（ｔ）はパルス幅変調信号である、請求項１記載の伝送回路。
【請求項３】
複数の領域（ｂｉ）はそれぞれ連続している、請求項１記載の伝送回路。
【請求項４】
下方限界値のみまたは上方限界値のみが格納されている、請求項１記載の伝送回路。
【請求項５】
当該の伝送回路は複数の特性マップを含み、複数の特性マップは少なくとも１つのパラメータによって選択される、請求項１から４までのいずれか１項記載の伝送回路。
【請求項６】
補間は線形に行われる、請求項１から５までのいずれか１項記載の伝送回路。
【請求項７】
少なくとも１つの入力側（Ｅ）と少なくとも１つの出力側（Ａ）とを備えた
伝送回路の駆動方法において、
入力側に印加される入力量（Ｒ）と出力側から取り出される出力量（ｔ）とのあいだの所定の関数関係（ｔ＝Ｆ（Ｒ））が定められており、該関数関係が特性マップ（７）に格納されており、
特性マップ（７）は下方限界値（Ｎ（ｂｉ））、上方限界値（Ｎ（ｂｉ＋１））、始値（Ｋ（ｂｉ））、終値（Ｅ（ｂｉ））および傾き（Ｐ（ｂｉ））を有する複数の領域（ｂｉ）から成り、ここで下方限界値は関数値（ｔ（ｉ）＝Ｆ（Ｎ（ｂｉ）））に対応し、上方限界値は関数値（ｔ（ｉ＋１）＝Ｆ（Ｎ（ｂｉ＋１）））に対応し、
当該の伝送回路は量子化器（３）および積分器（４）を備えたデルタシグマ変換器（１）を含み、積分器（４）の出力側（６）にディジタル化された入力量が送出され、該ディジタル化された入力量を用いて特性マップから１つの領域が選択され、調整量を計算するために、選択された領域の始値（Ｋ（ｂｉ））、終値（Ｅ（ｂｉ））および傾き（Ｐ（ｂｉ））が求められ、
出力量（ｔ）は下方限界値と上方限界値とのあいだで補間される
ことを特徴とする伝送回路の駆動方法。
【国際調査報告】
2009510860.tif 000006
2009510860.tif 000007
2009510860.tif 000008
2009510860.tif 000009
2009510860.tif 000010
2009510860.tif 000011
2009510860.tif 000012
2009510860.tif 000013